(57)【要約】      （修正有）【課題】交流の発電機への負荷変化や温度ドリフトによる回転数変化を抑制できるエンジン発電機の定周波装置を提供する。【解決手段】発電機１０の周波数変動を検出して流れる向きが両方向へ変化する電流を出力する周波数自動調整器１３と、周波数自動調整器１３で出力されたいずれかの方向の電流Ｉｃ１を流す第１コイル１４と、発電機１０の負荷電流を検出する電流変成器１５と、電流変成器１５の出力を整流する整流器１６と、整流器１６で出力された一方向の電流Ｉｃ２を流す第２コイル１７とで構成する。調速機のレバー１９ａには永久磁石１９ｂを取り付け、第１コイル１４と第２コイル１７を永久磁石１９ｂにそれぞれ近設する。【選択図】図１
0003142414.tif 000002
【実用新案登録請求の範囲】
【請求項１】
交流の発電機と、同発電機を駆動させるエンジンと、同エンジンを調速する調速機とで構成されたエンジン発電機において、発電機の周波数変動を検出して流れる向きが両方向へ変化する電流を出力する周波数自動調整器と、周波数自動調整器で出力されたいずれかの方向の電流を流す第１コイルと、発電機の負荷電流を検出する電流変成器と、電流変成器の出力を整流する整流器と、整流器で出力された一方向の電流を流す第２コイルとで構成され、調速機の可動レバーに永久磁石を取り付け、第１コイルと第２コイルを永久磁石にそれぞれ近設し、第１コイルに流れる電流の向き及び強弱と第２コイルに流れる電流の強弱で永久磁石との間に生じる磁力の吸引力及び反発力を別々に変化させて調速機を可動できるようにしたことを特徴とする、エンジン発電機の定周波装置。
【考案の詳細な説明】
【技術分野】
【０００１】
本考案は、負荷変動や温度ドリフトにより生じるエンジン発電機の周波数変動を補正するエンジン発電機の定周波装置に関する。
【背景技術】
【０００２】
従来の定周波装置が特許文献１に開示されている。この技術は、図４に示すように発電機２０の周波数変動を検出する周波数検出器２３とその出力を増幅する増幅器２４と、発電機２０の負荷電流を検出する電流変成器２５とその出力を整流する整流器２６と、増幅器２４と整流器２６の各出力を合成する混合回路２７とを設け、調速機の噴射量加減棒に鉄心２９を取り付け、その鉄心２９に近設したコイル２８に混合回路２７で合成された出力電流を流し、コイル２８に流れる電流の強弱で鉄心２９とコイル２８との間に生じる磁力を変化させて調速機を可動できるようにしている。図中、２１は負荷である。
【０００３】
エンジン２２の回転数が低下して発電機２０の周波数が変化すると、周波数検出器２３の出力電圧が増加して増幅器２４で増幅され、その出力が混合回路２７を経てコイル２８に流れる電流が増加し、噴射量加減棒が噴射量増加方向へ可動してエンジン２２の回転数が設定値に維持される。発電機２０への負荷が増加すると、電流変成器２５の出力電圧が増加して整流器２６で整流され、その出力が混合回路２７を経てコイル２８に流れる電流が増加し、噴射量加減棒が噴射量増加方向へ可動してエンジン２２の回転数の低下が補正される。
【０００４】
しかし、前記技術ではコイル２８に流れる電流が一方向であるから、噴射量加減棒を基準値から噴射量増加方向へ一方向のみしか制御できず、発電機２０への負荷が急激に低下した場合などは補正が困難となることがあった。また、エンジン２２の回転数が定格周波数を得られる回転数より上昇した場合は、それを下げるための制御が不可能であった。このことは、エンジン２２における冷時と暖時との回転数変化、つまり温度ドリフトを完全に修正することができなかった。一般的に、小型の汎用エンジン発電機では、この温度ドリフトが数％に及ぶことがあるので、定周波発電装置としての性能を維持し得なかった。
【特許文献１】特開昭５３−７７９３０号公報
【考案の開示】
【考案が解決しようとする課題】
【０００５】
本考案が解決しようとする課題は、従来のこれらの問題点を解消し得るエンジン発電機の定周波装置を提供することにある。
【課題を解決するための手段】
【０００６】
かかる課題を解決した本考案の構成は、
１）  交流の発電機と、同発電機を駆動させるエンジンと、同エンジンを調速する調速機とで構成されたエンジン発電機において、発電機の周波数変動を検出して流れる向きが両方向へ変化する電流を出力する周波数自動調整器と、周波数自動調整器で出力されたいずれかの方向の電流を流す第１コイルと、発電機の負荷電流を検出する電流変成器と、電流変成器の出力を整流する整流器と、整流器で出力された一方向の電流を流す第２コイルとで構成され、調速機の可動レバーに永久磁石を取り付け、第１コイルと第２コイルを永久磁石にそれぞれ近設し、第１コイルに流れる電流の向き及び強弱と第２コイルに流れる電流の強弱で永久磁石との間に生じる磁力の吸引力及び反発力を別々に変化させて調速機を可動できるようにしたことを特徴とする、エンジン発電機の定周波装置
にある。
【考案の効果】
【０００７】
本考案によれば、第１コイルに流れる電流の向きが両方向へ変化できるから、発電機への負荷が急激に低下した場合などは調速機の噴射量加減棒を基準値より噴射量減少方向へ可動させることで、急な変動に対してもエンジン回転数を常時一定に維持できるようになる。また、発電機への負荷が増加した場合、負荷電流に応じて出力された電流は別系統で第２コイルに直接流れるから、噴射量加減棒を噴射量増加方向へ負荷電流の増加分可動させることができ、従来技術と比較して高負荷時のエンジン回転数低下の抑制作用を改善できるようになる。
【考案を実施するための最良の形態】
【０００８】
以下、本考案の実施例を図面に基づいて具体的に説明する。
【実施例１】
【０００９】
図１は実施例の定周波装置の説明図、図２は実施例の周波数自動調整器の出力特性を示すグラフ、図３は実施例の発電機の周波数変動とエンジンの回転数変動を示すグラフである。図中、１０は発電機、１１は負荷、１１ａは遮断器、１２はエンジン、１３は周波数自動調整器、１３ａは変換器、１３ｂは電力増幅器、１３ｃは電源、１４は第１コイル、１５は電流変成器、１６は整流器、１７は第２コイル、１８は補正量調整器、１９は調速機、１９ａはレバー、１９ｂは永久磁石である。
【００１０】
本実施例の定周波装置は、図１に示すように、発電機１０の周波数変動を検出して流れる向きが両方向に変化する電流を出力する周波数自動調整器１３（出力特性は図２を参照）と、周波数自動調整器１３で出力されたいずれかの方向の電流Ｉｃ１を流す第１コイル１４と、発電機１０の負荷電流を検出する電流変成器１５と、電流変成器１５の出力を整流する整流器１６と、整流器１６で出力された一方向の電流Ｉｃ２を流す第２コイル１７とで構成されている。
【００１１】
調速機１９のレバー１９ａには永久磁石１９ｂを取り付け、第１コイル１４と第２コイル１７を永久磁石１９ｂにそれぞれ近設している。第１コイル１４及び第２コイル１７に流れる電流Ｉｃ１、Ｉｃ２が増加すると、レバー１９ａを噴射量増加方向へ可動させるようになっている。第１コイル１４に流れる電流Ｉｃ１の向きが逆向きに変化すると、レバー１９ａを噴射量減少方向へ可動させるようになっている。補正量調整器１８は、エンジン１２の固有の特性による変動幅を最小になるポイントに合せるために電流変成器１５の二次負担を変えるものである。
【００１２】
本実施例では、発電機１０の周波数が変化すると、周波数自動調整器１３の出力電流が変化して電力増幅器１３ｂで増幅され、そのいずれかの方向の出力電流Ｉｃ１が第１コイル１４に流れて永久磁石１９ｂとの間に磁力による吸引力又は反発力を生じさせる。レバー１９ａはその吸引力又は反発力でいずれかの方向へ動いて噴射量を増減し、エンジン１２の回転数を一定に調節する。図３（ａ）に示すように、周波数の変動はほぼフラットとなり、整定時の周波数変動を０．１Ｈｚ以下の精度にできた。
【００１３】
また、発電機１０への負荷が増加すると、電流変成器１５の出力電圧が増加して整流器１６で整流された出力が増加し、その出力で第２コイル１７に流れる一方向の電流Ｉｃ２が増加してレバー１９ａを噴射量増加方向へ動かし、エンジン１２の回転数の低下分を補正するようにエンジン１２の回転数が上昇する。図３（ｂ）に示すように、エンジン１２の回転数変動Ｈ−Ｈ’を１〜２％まで改善できた。従来技術の回転数変動Ｈ−Ｌは小容量機では５％以上となる。
【産業上の利用可能性】
【００１４】
本考案の技術は、コンピュータ機器などの安定した良質の電力が求められる予備電源システム等に有用で、特に小型のエンジン発電機に効果を発揮する。
【図面の簡単な説明】
【００１５】
【図１】実施例の定周波装置の説明図である。
【図２】実施例の周波数自動調整器の出力特性を示すグラフである。
【図３】実施例の発電機の周波数変動とエンジンの回転数変動を示すグラフである。
【図４】従来の定周波装置の説明図である。
【符号の説明】
【００１６】
１０  発電機
１１  負荷
１１ａ  遮断器
１２  エンジン
１３  周波数自動調整器
１３ａ  変換器
１３ｂ  電力増幅器
１３ｃ  電源
１４  第１コイル
１５  電流変成器
１６  整流器
１７  第２コイル
１８  補正量調整器
１９  調速機
１９ａ  レバー
１９ｂ  永久磁石
２０  発電機
２１  負荷
２２  エンジン
２３  周波数検出器
２４  増幅器
２５  電流変成器
２６  整流器
２７  混合回路
２８  コイル
２９  鉄心
【図１】
0003142414.tif 000003
【図２】
0003142414.tif 000004
【図３】
0003142414.tif 000005
【図４】
0003142414.tif 000006